(57)【要約】【課題】簡易な操作で投射用及び通気用の開口部が閉じて片付け可能な状態となり、かつ、直ちに使用を再開可能な投射型表示装置及びその制御方法を提供する。【解決手段】レンズカバー１０１の閉動作に連動して排気口シャッター３２を閉動作させる連動機構１１１を設けると共に、レンズカバー１０１が閉じたことを検出した場合に、光源装置５１を駆動停止させると共に、電源電力が遮断可能であって、光源装置５１を駆動開始可能なスタンバイ状態へと移行する停止制御を行う。【選択図】図２
2012093605.tif 000002
【特許請求の範囲】
【請求項１】
光源と光源からの光を変調して画像光を投射する画像投射部とを収容し、投射用の開口部と通気用の開口部とを有する装置本体と、
前記投射用の開口部を開閉するレンズカバーと、
前記通気用の開口部を開閉するシャッターと、
前記レンズカバーの閉動作に連動して前記シャッターを閉動作させる連動機構と、
前記レンズカバー及び／又は前記シャッターが閉じたか否かを検出する閉検出部と、
前記閉検出部が閉じたことを検出した場合、前記光源を駆動停止させると共に、電源電力が遮断可能であって、前記光源を駆動開始可能な所定状態へと移行させる制御部と
を備えることを特徴とする投射型表示装置。
【請求項２】
前記装置本体は、前記通気用の開口部に通気させるファンを有し、
前記制御部は、前記閉検出部が閉じたことを検出した場合、前記光源を駆動停止させると共に前記ファンを駆動停止させることを特徴とする請求項１に記載の投射型表示装置。
【請求項３】
前記装置本体は、ユーザー指示を入力する指示入力部を有し、前記所定状態では、前記指示入力部からのユーザー指示を受け付けることを特徴とする請求項１又は２に記載の投射型表示装置。
【請求項４】
前記レンズカバー又は前記シャッターに操作部材を設け、
前記閉検出部は、前記操作部材が設けられたレンズカバー又はシャッターが閉じたか否かを検出することを特徴とする請求項１乃至３のいずれかに記載の投射型表示装置。
【請求項５】
前記装置本体は、防塵フィルターが設けられる吸気口と、防塵フィルターが設けられることなく開口して前記通気用の開口部となる排気口とを有し、前記防塵フィルターと前記排気口を開閉する前記シャッターとによって、前記装置本体を防塵可能に構成されていることを特徴とする請求項１乃至４のいずれかに記載の投射型表示装置。
【請求項６】
光源と光源からの光を変調して画像光を投射する画像投射部とを収容し、投射用の開口部と通気用の開口部とを有する装置本体と、前記投射用の開口部を開閉するレンズカバーと、前記通気用の開口部を開閉するシャッターとを備える投射型表示装置の制御方法において、
前記レンズカバーの閉動作に連動して閉動作する前記シャッター及び／又は前記レンズカバーが閉じたか否かを検出し、閉じたと検出した場合、前記光源を駆動停止させると共に、電源電力が遮断可能であって、前記光源を駆動開始可能な所定状態へと移行させることを特徴とする投射型表示装置の制御方法。
【発明の詳細な説明】
【技術分野】
【０００１】
本発明は、レンズカバーと通気用の開口部を開閉するシャッターとを有する投射型表示装置及びその制御方法に関する。
【背景技術】
【０００２】
投射型表示装置（プロジェクター）には、投射レンズの開口部と冷却ファンの開口部とに手動開閉式のシャッターを設け、一方又は両方のシャッターを開けないと電源をオンできないようにしたものが提案されている（例えば、特許文献１参照）。この特許文献１の投射型表示装置では、装置の動作を止めるには、まず電源スイッチをオフして動作を停止させ、しかる後、シャッター閉操作を行うことが記載されている。
【先行技術文献】
【特許文献】
【０００３】
【特許文献１】特開２０００−３０５１７５号公報
【発明の概要】
【発明が解決しようとする課題】
【０００４】
しかしながら、上記特許文献１の構成では、装置の動作を止めるには、電源スイッチをオフした後に両シャッターを別々に閉じる操作が必要であるため、操作回数が多く、操作が煩雑になってしまう。
操作が煩雑であると、シャッターを閉め忘れたまま片付けられてしまう事態が生じやすくなる。この事態は、特に、粉塵が多い地域で使用できるように防塵対策を施した投射型表示装置、つまり、防塵タイプの投射型表示装置（防塵プロジェクター）にとっては好ましくない。
しかも、上記装置で使用を再開するには、両シャッターを別々に操作して開けた後、電源オンの操作をする必要があり、この場合の操作回数も多く、操作が煩雑である。
【０００５】
本発明は、上述した事情を鑑みてなされたものであり、簡易な操作で投射用及び通気用の開口部が閉じて片付け可能な状態となり、かつ、直ちに使用を再開可能な投射型表示装置及びその制御方法を提供することを目的としている。
【課題を解決するための手段】
【０００６】
上記目的を達成するために、本発明は、投射型表示装置において、光源と光源からの光を変調して画像光を投射する画像投射部とを収容し、投射用の開口部と通気用の開口部とを有する装置本体と、前記投射用の開口部を開閉するレンズカバーと、前記通気用の開口部を開閉するシャッターと、前記レンズカバーの閉動作に連動して前記シャッターを閉動作させる連動機構と、前記レンズカバー及び／又は前記シャッターが閉じたか否かを検出する閉検出部と、前記閉検出部が閉じたことを検出した場合、前記光源を駆動停止させると共に、電源電力が遮断可能であって、前記光源を駆動開始可能な所定状態へと移行させる制御部とを備えることを特徴とする。
この構成によれば、レンズカバー及び／又はシャッターが閉じたことを検出した場合、光源を駆動停止させると共に、電源電力が遮断可能であって、光源を駆動開始可能な所定状態へと移行させるので、レンズカバー及び／又はシャッターが閉じるという簡易な操作で投射用及び通気用の開口部が閉じて片付け可能な状態となり、かつ、直ちに使用を再開することもできる。
【０００７】
上記構成において、前記装置本体は、前記通気用の開口部に通気させるファンを有し、前記制御部は、前記閉検出部が閉じたことを検出した場合、前記光源を駆動停止させると共に前記ファンを駆動停止させるようにしてもよい。この構成によれば、投射用の開口部が閉じた状態で光源から光を出射する事態を回避し、かつ、通気用の開口部が閉じた状態でファン駆動する事態を回避することができる。
また、上記構成において、前記装置本体は、ユーザー指示を入力する指示入力部を有し、前記所定状態では、前記指示入力部からのユーザー指示を受け付けるようにしてもよい。この構成によれば、ユーザー指示に従って直ちに動作を再開することができる。
【０００８】
また、上記構成において、前記レンズカバー又は前記シャッターに操作部材を設け、前記閉検出部は、前記操作部材が設けられたレンズカバー又はシャッターが閉じたか否かを検出するようにしてもよい。この構成によれば、ユーザーによる閉じる操作を確実に検出でき、この操作に応じて上記移行制御を確実に実行することができる。
また、上記構成において、前記装置本体は、防塵フィルターが設けられる吸気口と、防塵フィルターが設けられることなく開口して前記通気用の開口部となる排気口とを有し、前記防塵フィルターと前記排気口を開閉する前記シャッターとによって、前記装置本体を防塵可能に構成されるようにしてもよい。この構成によれば、使い勝手と防塵性とを両立した防塵プロジェクターを提供することが可能になる。
【０００９】
また、本発明は、光源と光源からの光を変調して画像光を投射する画像投射部とを収容し、投射用の開口部と通気用の開口部とを有する装置本体と、前記投射用の開口部を開閉するレンズカバーと、前記通気用の開口部を開閉するシャッターとを備える投射型表示装置の制御方法において、前記レンズカバーの閉動作に連動して閉動作する前記シャッター及び／又は前記レンズカバーが閉じたか否かを検出し、閉じたと検出した場合、前記光源を駆動停止させると共に、電源電力が遮断可能であって、前記光源を駆動開始可能な所定状態へと移行させることを特徴とする。
この構成によれば、レンズカバー及び／又はシャッターが閉じたことを検出した場合、光源を駆動停止させると共に、電源電力が遮断可能であって、光源を駆動開始可能な所定状態へと移行させるので、レンズカバー及び／又はシャッターが閉じるという簡易な操作で投射用及び通気用の開口部が閉じて片付け可能な状態となり、かつ、直ちに使用を再開することもできる。
【発明の効果】
【００１０】
本発明によれば、簡易な操作で投射用及び通気用の開口部が閉じて片付け可能な状態となり、かつ、直ちに使用を再開することもできる。
【図面の簡単な説明】
【００１１】
【図１】（Ａ）は本発明の実施形態に係るプロジェクターの投射用開口部が開いた状態を示す外観図であり、（Ｂ）は投射用開口部が閉じた状態を示す外観図である。
【図２】プロジェクターの内部構造を示す図である。
【図３】プロジェクターの機能構成を示すブロック図である。
【図４】プロジェクターの動作を示すフローチャートである。
【発明を実施するための形態】
【００１２】
以下、図面を参照して本発明の一実施の形態について説明する。
図１（Ａ）（Ｂ）は、本発明の実施形態に係るプロジェクター（投射型表示装置）１０の外観図であり、図２は、このプロジェクター１０の内部構造を示す図である。
図１に示すように、プロジェクター１０は、筐体１１内に各種部品を備えて構成される装置本体１２を有している。
筐体１１は、平面視で長方形の箱形状を有し、この筐体１１の前面１１Ａには、投射用開口部１４が設けられ、この筐体１１の左右側面（短辺）１１Ｌ、１１Ｒの一方側には吸気口１５が設けられ、他方側には排気口１６（図２参照）が設けられる。
本説明では、筐体１１の背面を符号１１Ｂを付して示しており、筐体１１を前面１１Ａからみて左側の面を左側面１１Ｌと表記し、右側の面を右側面１１Ｒと表記している。
【００１３】
図２に示すように、この筐体１１内には、吸気口１５側に冷却ファン３１が配置され、排気口１６側に排気口シャッター３２が配置され、この冷却ファン３１と排気口シャッター３２との間の領域に、画像投射部２１と電源部２２と回路基板３３とが配置されている。
これによって、冷却ファン３１によって、吸気口１５から外気が筐体１１内に導入され、この外気（冷却風）によって画像投射部２１、電源部２２及び回路基板３３が冷却される。そして、冷却後の空気が排気口１６から排出される。
【００１４】
本構成のプロジェクター１０の投射用開口部１４には、この開口部１４を開閉する手動式のレンズカバー１０１が設けられる。このレンズカバー１０１は、筐体１１の前面１１Ａに沿ってスライド自在に設けられ、このスライド移動によって投射用開口部１４を閉じ、投射用開口部１４内側に設けられた投射レンズ５３のレンズ面を覆って保護する。
このレンズカバー１０１には、上方に突出する操作レバー（操作部材）１０２が一体に設けられ、この操作レバー１０２が、筐体１１の上面１１Ｃに設けられたレバー操作用開口部１１Ｋを通って筐体１１上方へ突出し、ユーザーが容易に把持してレンズカバー１０１をスライド操作可能にしている。
【００１５】
図１（Ａ）に示すように、レンズカバー１０１を開いた状態では、操作レバー１０２が、レバー操作用開口部１１Ｋの左右一端（本構成では左端）に位置し、図１（Ｂ）に示すように、レンズカバー１０１を閉じた状態では、操作レバー１０２が、レバー操作用開口部１１Ｋの左右他端（本構成では右端）に位置するように構成されている。
なお、上記操作レバー１０２の後方には、下方に凹む凹部１１Ｍが設けられ、この凹部１１Ｍ内には、投射レンズ５３に設けられたフォーカス調整レバー１０３とズーム調整レバー１０４とが露出する。ユーザーは、各レバー１０３，１０４を把持して左右に回転操作することによって投射映像のフォーカス調整やズーム調整を行うことができる。
【００１６】
また、このプロジェクター１０には、通気用の開口部の一方側である吸気口１５に、防塵フィルター３４（図２参照）が配置され、通気用の開口部の他方側である排気口１６に、この排気口１６を開閉する手動式の排気口シャッター３２（図２参照）が配置される。このため、いずれの開口部１５，１６からも塵や虫などの侵入を防止可能である。
すなわち、本実施形態のプロジェクター１０は、レンズカバー１０１によって投射レンズ５３のレンズ面を覆ってレンズ面への塵や虫などの付着を防止でき、かつ、防塵フィルター３４及び排気口シャッター３２によって内部への塵や虫などの侵入を防止でき、多塵地域での使用に適した防塵プロジェクターに構成されている。
【００１７】
また、本構成のプロジェクター１０は、画像投射部２１などの各部の動作時には冷却ファン３１による冷却を行うが、各部の材料の改良などで各部を動作停止させると直ちに冷却ファン３１による冷却を不要にできるように構成されている。
電源部２２は、図示せぬプラグを介して屋内などに設置されたコンセントに接続されることにより、電力会社から送られる商用電源である外部電源の電力供給を受け、プロジェクター１０の各部へ電力供給する。すなわち、このプロジェクター１０は、外部電源を動作電力として駆動する。
【００１８】
図３は、このプロジェクター１０の機能構成を示すブロック図である。
上記回路基板３３は、信号処理部４１、投射系駆動部４２、記憶部４３、制御部４４、音声駆動部４５、ファン駆動部４６、ランプ駆動部４７及び端子駆動部４８を有している。
信号処理部４１は、ケーブル接続された外部機器（パーソナルコンピューターやＤＶＤプレーヤーなど）１８から映像信号ＳＡ（本構成では、画像のみの信号、或いは、画像と音声の両方を含む信号）を入力し、この信号ＳＡに対応する画像データに対して画像処理する画像処理系と、信号ＳＡに対応する音声データに対して音声処理する音声処理系とを備えている。
ここで、画像処理系は、画像データのフォーマットをインターレース方式からプログレッシブ方式に変換するＩＰ変換や、ＩＰ変換された画像データに対してサイズを拡大または縮小する解像度変換処理や、明度や彩度の調整といった種々の色調補正などを行う。
【００１９】
投射系駆動部４２は、画像投射部２１の液晶パネル５２や光源装置５１を駆動する液晶パネル駆動部及び光源駆動部として機能するものであり、信号処理部４１により画像処理が施された画像データに基づいて液晶パネル５２や光源装置５１を駆動し、画像を表示させる。
画像投射部２１は、図２に示すように、筐体１１の長辺の一方である背面１１Ｂに沿って延出すると共に筐体１１の短辺である側面１１Ｌ，１１Ｒに沿って前面１１Ａに向かって延出する平面視略Ｌ字形状を有しており、光源として機能する光源装置５１と、液晶パネル（液晶ライトバルブとも言う）５２（５２Ｒ，５２Ｇ，５２Ｂ）と、投射レンズ５３とを備えている。液晶パネル５２は、複数の画素をマトリクス状に配置した透過型液晶パネルで構成され、投射系駆動部４２の駆動により各画素の光透過率を変化させることにより、光源装置５１からの照明光（図１中、符号Ｌで示す）を画像を表す画像光へと変調し、投射レンズ５３から出射する。
【００２０】
本実施形態では、このプロジェクター１０が３ＬＣＤ式プロジェクターの場合を示している。この場合には、図２に示すように、Ｒ，Ｇ，Ｂの３色に対応する３枚の液晶パネル５２Ｒ，５２Ｇ，５２Ｂ及び光源装置５１の光の分離及び集光などを行うための光学部品（レンズ３２１〜３２４，３４１，３４３，調光装置３２５，ダイクロイックミラー３３１，３３２，反射ミラー３３３，３４２，３４４，偏光板３５１，３５３，プリズム３５４など）が設けられる。
この構成により、光源装置５１の出射光をＲ，Ｇ，Ｂの３色の光に分離し、液晶パネル５２Ｒ，５２Ｇ，５２Ｂをそれぞれ透過させ、プリズム３５４で合成してカラー画像を生成することができる。なお、画像投射部２１の構成は、図２に示す構成に限らず、公知の構成を広く適用でき、また、一枚の液晶パネル５２を備える公知の構成を適用してもよい。
【００２１】
記憶部４３には、制御プログラムなどの各種プログラムや各種データが記憶される。
制御部４４は、記憶部４３に記憶された制御プログラムを読み出して実行することにより、プロジェクター１０の各部を制御するコンピューターとして機能する。
このプロジェクター１０には、スピーカーなどからなる音声出力部３５、ユーザーにプロジェクター１０の動作状態（電源オン、スタンバイ状態、エラー状態など）を報知するためのインジケーターランプ（本実施形態ではＬＥＤ（Light  Emitting  Diode））３６、トリガーアウトや電力信号（ＵＳＢバスパワー）を出力する出力端子３７（不図示の外部機器にトリガーアウトを出力するトリガーアウト端子、ＵＳＢ端子など）、及び、ユーザーが各種指示を行うための各種操作子を有する操作部（指示入力部）３８などが更に設けられている。
【００２２】
音声駆動部４５は、制御部４４の制御の下、このプロジェクター１０の音声出力部３５を駆動し、信号処理部４１から出力された音声データに対応する音声、操作音、及び、警告音などの各種音声を放音させる。
ランプ駆動部４７は、制御部４４の制御の下、複数のインジケーターランプ（報知部）３６を選択的に駆動／非駆動（点滅も含む）することにより、各インジケーターランプ３６を点灯／消灯させ、これによって、電源オン、スタンバイ状態（電源オンよりも省電力の状態。一部の機能を有効にした状態（本体操作部（操作部３８）の操作や不図示のリモコン操作を受け付け、スタンバイモニターアウト機能などを有効にした状態））、エラー状態などをユーザーに報知する。
【００２３】
端子駆動部４８は、制御部４４の制御の下、このプロジェクター１０の電源オンを外部機器（スクリーン装置など）に通知するためのトリガーアウトや、ＵＳＢ接続された外部機器に電力供給するための電力信号を、出力端子３７を介して外部に出力させる。
開閉検出部５０は、レンズカバー１０１の開閉を検出するスイッチ機構であり、制御部４４は、この開閉検出部５０の検出結果を取得することによって、レンズカバー１０１の開閉状態を検出することができる。本構成では、この開閉検出部５０は、レンズカバー１０１が完全に閉じたときに切り替わる機械式スイッチで構成され、レンズカバー１０１が閉状態か否かを検出する。
【００２４】
ところで、本構成のプロジェクター１０には、レンズカバー１０１のスライド操作に応じて排気口シャッター３２を開閉する連動機構１１１が設けられ、レンズカバー１０１を閉じると排気口シャッター３２が連動して閉じ、レンズカバー１０１を開けると排気口シャッター３２が連動して開くように構成されている。
図２に示すように、排気口シャッター３２は、筐体１１の左側面１１Ｌに沿って並べて回動自在に配置される複数のルーバー３３Ｂと、全てのルーバー３３Ｂを一体的に回動させるカムプレート３３Ｃとを有している。図１では、全てのルーバー３３Ｂが開いた状態を示しており、カムプレート３３Ｃを、筐体１１の前面１１Ａ側にスライド移動させると、全てのルーバー３３Ｂが閉じた位置へ回転するように構成される。
【００２５】
上記連動機構１１１は、レンズカバー１０１と排気口シャッター３２のカムプレート３３Ｃとを連結する連結部材１１１Ａを備え、この連結部材１１１Ａによりレンズカバー１０１と排気口シャッター３２とを連動させる。ここで、図１中、符号１１１Ｂは、連結部材１１１Ａの移動を案内する案内部材を示しており、連結部材１１１Ａは、この案内部材１１１Ｂに沿って屈曲する屈曲部材で形成されている。
図１に示す構成では、レンズカバー１０１を閉じる場合には、連結部材１１１Ａを介してカムプレート３３Ｃがレンズカバー１０１側に引っ張られるので、排気口シャッター３２が閉じる。一方、レンズカバー１０１を開ける場合には、連結部材１１１Ａが屈曲性を有するため、連結部材１１１Ａだけでは連結部材１１１Ａが撓んでカムプレート３３Ｃを円滑に作動させることができない。
このため、本実施形態では、カムプレート３３Ｃをシャッター開側に付勢する不図示の付勢部材を設けており、この付勢部材によって、レンズカバー１０１を開けると排気口シャッター３２が連動して開くようにしている。なお、この連動機構１１１は、上記構成に限らず、公知の構成を広く適用可能である。
【００２６】
本構成のプロジェクター１０では、レンズカバー１０１及び排気口シャッター３２が閉じたことを開閉検出部５０で検出すると、制御部４４が停止制御を行うようになっている。
図４は、この停止制御を示すフローチャートである。なお、この停止制御は、外部電源が供給された状態で、プロジェクター１０が電源オンの場合に所定の割り込み周期で実行される制御である。
まず、制御部４４は、開閉検出部５０の検出結果に基づいてレンズカバー１０１が閉じたか否かを判定する（ステップＳ１）。そして、制御部４４は、レンズカバー１０１が閉じていなければ、この制御を一旦終了し、レンズカバー１０１が閉じれば、直ちにステップＳ２以降に示す各部の停止制御を行う。
【００２７】
この各部停止制御として、制御部４４は、投射系駆動部４２により光源装置５１を駆動停止（消灯）し（ステップＳ２）、投射系駆動部４２により液晶パネル５２の電荷抜き処理を行った後に駆動停止し（ステップＳ３）、ファン駆動部４６により冷却ファン３１を駆動停止し（ステップＳ４）、その後、所定のスタンバイ状態へ移行して当該停止制御を終了する（ステップＳ５）。
【００２８】
このレンズカバー閉時のスタンバイ状態は、電源電力が遮断可能（つまり、プラグをコンセントから抜くことが可能）であって、かつ、光源装置５１を点灯させて通常の動作モード（画像を投射する動作モード）へ起動可能な状態とされる。
この場合、制御部４４は、本体操作部（操作部３８）の操作や不図示のリモコン操作を受け付け可能な最小限の動作だけを行い、例えば、各部の操作を所定の時間間隔で検出する操作検出処理と、インジケーターランプ３６を点灯してスタンバイ状態である旨を報知する報知処理だけを行い、それ以外の処理（音声出力部３５や出力端子の駆動）は停止し、低消費電力で動作している。
【００２９】
この停止制御によれば、ユーザーは、レンズカバー１０１を閉操作する一回操作だけで、レンズカバー１０１及び排気口シャッター３２を閉じると共に、プラグをコンセントから抜くことが可能な状態にすることができる。
従って、レンズカバー１０１の閉操作後、直ちにプラグをコンセントから抜いて片付けることができ、ユーザーの利便性が向上することができる。また、レンズカバー１０１又は排気口シャッター３２を閉め忘れたまま片付けてしまう事態を回避することができ、レンズ面への塵や虫などの付着防止、レンズ面の保護、及び、内部への塵や虫などの侵入防止ができる。
【００３０】
また、レンズカバー１０１を閉操作した後でもユーザー操作を受け付けるので、ユーザーは、電源オンの操作を行えば、直ちにプロジェクター１０を起動させ、使用を再開することができる。従って、迅速に使用開始できる。
ここで、使用を再開する場合、制御部４４は、レンズカバー１０１が閉じている場合は、光源装置５１や冷却ファン３１などを駆動停止したままとし、レンズカバー１０１が開いた場合に、光源装置５１や冷却ファン３１などを駆動開始する。これによって、排気口シャッター３２が閉まった状態で光源装置５１や冷却ファン３１などを駆動してしまう事態を確実に回避する。
【００３１】
以上説明したように、本実施の形態によれば、レンズカバー１０１の閉動作に連動して排気口シャッター３２を閉動作させる連動機構１１１を設けると共に、レンズカバー１０１が閉じたことを検出した場合に、光源装置５１を駆動停止させると共に、電源電力が遮断可能であって、光源装置５１を駆動開始可能なスタンバイ状態へと移行する停止制御を行うので、レンズカバー１０１を閉じる簡易な操作だけで、投射用開口部１４と排気口１６とが閉じて片付け可能な状態にでき、ユーザーの利便性が向上すると共に、直ちに使用を再開することもできる。
【００３２】
また、レンズカバー１０１が閉じたことを検出した場合、光源装置５１を駆動停止させると共に冷却ファン３１を駆動停止させるので、投射用開口部１４が閉じた状態で光源装置５１から光を出射する事態を回避し、かつ、排気口１６が閉じた状態でファン駆動する事態を回避することができる。
また、上記スタンバイ状態では、ユーザー指示を受け付けるので、ユーザー指示に従って直ちに動作を再開することができる。
さらに、本構成では、レンズカバー１０１に操作レバー１０２が設けられ、このレンズカバー１０１が閉じたか否かを検出するので、ユーザーによる閉じる操作を確実に検出でき、この操作に応じて上記停止制御を確実に実行することができる。
【００３３】
本構成のプロジェクター１０は防塵プロジェクターであるため、レンズカバー１０１や排気口シャッター３２を閉め忘れたままになってしまうことが防塵上、好ましくない一方で、これらを別々に操作することは操作が煩雑である。上記したように、このプロジェクター１０では、簡易な操作で投射用開口部１４と排気口１６とが閉じて片付け可能な状態にできるので、使い勝手と防塵性とを両立した防塵プロジェクターを提供することが可能になる。
【００３４】
上述した実施形態は、あくまでも本発明の一態様を示すものであり、本発明の主旨を逸脱しない範囲で任意に変形及び応用が可能である。
例えば、上述の実施形態では、排気口１６に排気口シャッター３２を設ける場合を説明したが、これに限らず、吸気口１５にシャッターを設け、このシャッターをレンズカバー１０１に連動させるようにしてもよい。
また、上述の実施形態では、レンズカバー１０１に操作レバー１０２を設ける場合を説明したが、これに限らず、排気口シャッター３２に操作レバー（操作部材）を設けてもよい。排気口シャッター３２だけに操作レバーを設ける場合は、ユーザーの操作を確実に検出する観点から、排気口シャッター３２が閉じたか否かを検出するように構成することが好ましい。また、レンズカバー１０１と排気口シャッター３２との両方について閉じたか否かを検出するように構成してもよい。
【００３５】
また、上述の実施形態では、レンズカバー１０１と排気口シャッター３２は連結部材１１１Ａを備えた連動機構１１１によって連動して開閉するが、それに限らず、連動機構１１１は電気的に連動する機構であってもよい。すなわち、排気口シャッター３２を電気的に駆動する駆動部（例えば、モーターやソレノイドなど）を備え、開閉検出部５０の検出結果に基づいて駆動部を駆動し、排気口シャッター３２を開閉してもよい。これによって、連結部材１１１Ａが不要になり、排気口１６を設置する位置の制約が少なくなる。
【００３６】
また、上述したプロジェクター１０は、透過型の液晶パネル５２を用いて画像をスクリーンに投射するタイプであったが、反射型液晶パネルを用いたプロジェクターであってもよいし、デジタルミラーデバイスを用いたＤＭＤ方式のプロジェクターであってもよい。また、３つの液晶パネル５２によりカラー画像を投射する３ＬＣＤ方式のプロジェクターに限らず、１つの液晶ライトバルブを用いてＲＧＢに対応する画像を時分割表示してカラー画像を投射するプロジェクター、カラーホイールを備えた単板ＤＭＤ方式のプロジェクター、及び、３ＤＭＤ方式のプロジェクターのいずれにも本発明を適用可能である。要は、レンズカバーやシャッターを有する投射型表示装置に本発明を広く適用可能である。
【００３７】
また、上述したプロジェクター１０の各機能部は、プロジェクター１０の機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、プロジェクター１０の具体的な細部構成についても、本発明の趣旨を逸脱しない範囲で任意に変更可能である。また、本発明は、このような装置が実行するプログラムとして実現することも可能である。
【符号の説明】
【００３８】
１０…プロジェクター（投射型表示装置）、１１…筐体、１２…装置本体、１４…投射用開口部、１５…吸気口（通気用の開口部）、１６…排気口（通気用の開口部）、２１…画像投射部、２２…電源部、３１…冷却ファン、３２…排気口シャッター（シャッター）、３４…防塵フィルター、３５…音声出力部、３６…インジケーターランプ（報知部）、３７…出力端子、３８…操作部、４１…信号処理部、４２…投射系駆動部、４３…記憶部、４４…制御部、４５…音声駆動部、４６…ファン駆動部、４７…ランプ駆動部、４８…端子駆動部、５０…開閉検出部（閉検出部）、５１…光源装置、５２，５２Ｒ，５２Ｇ，５２Ｂ…液晶パネル、５３…投射レンズ、１０１…レンズカバー、１０２…操作レバー（操作部材）、１１１…連動機構。
【図１】
2012093605.tif 000003
【図２】
2012093605.tif 000004
【図３】
2012093605.tif 000005
【図４】
2012093605.tif 000006